(57)【要約】【課題】本発明においては新たな動作シーケンスを取り入れることによりこれまでの被写体識別機能を持ったカメラにおいては達成されていなかった、従来からのカメラの動作に近い使い勝手の良い被写体識別機能を備えたデジタルカメラを提供することを目的とする。【解決手段】被写体を撮影する際の撮影条件を保持するよう指示する指示手段と、撮影画像データから所定の特徴部位を抽出する抽出手段と、前記指示手段の指示に応じて、前記抽出手段による抽出結果を保持するように制御する制御手段とを備える。これにより撮影被写体を決定し、シャッタ釦の半押し等により撮影条件をロックしたときに同時に抽出結果もロックされるのでそれ以降は半押し時の抽出結果が保持される。【選択図】    図１                                    
2005223658.tif 000002
【特許請求の範囲】
【請求項１】
被写体を撮影する際の撮影条件を保持するよう指示する指示手段と、
撮影画像データから所定の特徴部位を抽出する抽出手段と、
前記指示手段の指示に応じて、前記抽出手段による抽出結果を保持するように制御する
制御手段とを備えたことを特徴とするデジタルカメラ。
【請求項２】
前記抽出結果とは前記抽出手段によって抽出された特徴部位の大きさ或いは位置情報の少なくとも一つであることを特徴とする請求項１に記載のデジタルカメラ。
【請求項３】
更に、前記抽出手段によって抽出された前記所定の特徴部位を所定の表示形態で表示する表示手段を備え、
前記制御手段は、前記表示形態を前記表示手段に保持することを特徴とする請求項１に
記載のデジタルカメラ。
【請求項４】
更に、被写体撮影時に合焦動作を行う合焦手段を備え、
前記撮影条件とは前記合焦手段によって決定された合焦位置条件であることを特徴とす
る請求項１に記載のデジタルカメラ。
【請求項５】
更に、前記抽出手段が抽出した前記所定の特徴部位を含む所定エリアを前記合焦手段が合焦動作する際に使用する測距エリアとして設定する設定手段を備えることを特徴とする請求項４に記載のデジタルカメラ。
【請求項６】
更に、被写体輝度を演算する測光手段を備え、
前記撮影条件とは前記測光手段によって演算された被写体輝度であることを特徴とする
請求項１に記載のデジタルカメラ。
【請求項７】
更に、前記抽出手段が抽出した前記所定の特徴部位を含む所定エリアを前記測光手段が測光動作する際に使用する測光エリアとして設定する設定手段とを備えることを特徴とする請求項６に記載のデジタルカメラ。
【請求項８】
前記制御手段は更に、前記指示手段による指示がされるまでの所定期間は前記抽出手段に対して抽出動作を繰り返すよう制御することを特徴とする請求項１に記載のデジタルカメラ。
【請求項９】
更に、前記抽出手段を動作させる動作モード或いは前記抽出手段を動作させない非動作モードのいずれかのモードに設定する設定手段を備え、
前記所定期間とは、前記設定手段が前記抽出手段を動作モードに設定してから前記指示
手段の指示がされるまでの期間であることを特徴とする請求項８に記載のデジタルカメラ。
【請求項１０】
更に、前記デジタルカメラの電源をオンする電源オン手段を備え、
前記所定期間とは、前記電源オン手段によって前記デジタルカメラの電源がオンされて
から前記指示手段の指示がされるまでの期間であることを特徴とする請求項８に記載のデジタルカメラ。
【請求項１１】
被写体を撮影する際の撮影条件を保持するよう指示する指示手段と、
撮影画像データから所定の特徴部位を抽出する抽出手段と、
前記指示手段の指示に応じて、前記抽出手段の抽出動作を停止するように制御する制御
手段とを備えたことを特徴とするデジタルカメラ。
【請求項１２】
被写体撮影時に合焦動作を行う合焦手段と、
前記画像データ内の所定エリアから所定の特徴部位を抽出する抽出手段と、
前記合焦手段に合焦動作を開始するように指示する指示手段と、
前記指示手段の指示に応じて開始した前記合焦手段の合焦動作により合焦したならばそ
の合焦位置を保持する第１の合焦モードと、前記指示手段の指示に応じて繰り返し合焦動作を行う第２の合焦モードとのいずれかの合焦モードを選択する選択手段と、
前記指示手段の指示に応じて、前記抽出手段が前記選択手段の選択結果に応じた抽出動
作をするよう制御する制御手段とを備えたことを特徴とするデジタルカメラ。
【請求項１３】
前記制御手段は、前記選択手段が前記第１の合焦モードを選択した場合には、前記抽出手段による抽出結果を保持するように制御することを特徴とする請求項１２に記載のデジタルカメラ。
【請求項１４】
前記制御手段は、前記選択手段が前記第２の合焦モードを選択した場合には、前記抽出手段による抽出動作を繰り返すように制御することを特徴とする請求項１２に記載のデジタルカメラ。
【請求項１５】
更に、前記抽出手段が抽出した前記所定の特徴点を含む所定エリアを前記合焦手段が合焦動作する際に使用する測距エリアとして設定する設定手段を備えることを特徴とする請求項１２に記載のデジタルカメラ。
【請求項１６】
更に、被写体輝度を測光する測光手段と、
前記抽出手段が抽出した前記所定の特徴点を含む所定エリアを前記測光手段が測光動作する際に使用する測光エリアとして設定する設定手段とを備えることを特徴とする請求項１２に記載のデジタルカメラ。
【請求項１７】
被写体撮影時に測光動作を行う測光手段と、
前記画像データ内の所定エリアから所定の特徴部位を抽出する抽出手段と、
前記測光手段に測光動作を開始するように指示する指示手段と、
前記指示手段の指示に応じて前記測光手段の測光結果を保持する第１の測光モードと、
前記指示手段の指示に応じて繰り返し測光動作を行う第２の測光モードとのいずれかの測光モードを選択する選択手段と、
前記指示手段の指示に応じて、前記抽出手段が前記選択手段の選択結果に応じた抽出動
作をするよう制御する制御手段とを備えたことを特徴とするデジタルカメラ。
【発明の詳細な説明】
【技術分野】
【０００１】
本発明は、人物の特徴点を識別し、その識別結果に応じて合焦や露出動作をするデジタルカメラに関する。
【背景技術】
【０００２】
従来から、指紋あるいは虹彩の特徴点を予め登録しておいてこれと照合することで本人を認証するシステムを初めとして画像データから人物を識別する技術はこれまで多く知られている。特開平９−２５１５３４号公報には目、鼻、口等を抽出して特徴点として登録しこれと入力した画像から抽出した特徴点とを比較して当人として識別する方法が詳細に記述されており、特開平１０−２３２９３４号公報にはこの様にして抽出した特徴点を登録する場合の辞書画像の精度を上げる方法が開示されている。これらの技術をカメラに応用した例を以下に挙げる。
【０００３】
特開２００１−２０１７７９号公報には予めカメラの使用者を参照情報として登録しておき、カメラ使用者がカメラを自分の顔に向けて撮影することで入力した識別情報と一致した場合にのみカメラ動作を可能とするカメラが開示されている。特開２００１−３０９２２５号公報には顔認識アルゴリズムにより認識された顔の座標、寸法、目の位置、頭のポーズ等のデータが画像メモリに画像データとともに記録されるカメラが開示されている。特開２００１−３２６８４１号公報には予め正規の使用者を識別するための識別情報（顔、指紋、掌紋）を記憶しておく画像撮像装置（デジタルカメラ）が開示されている。特開２００２−２３２７６１号公報には撮影した画像に予め読み込んでおいた被写体の識別情報を関連付けて記録する画像記録装置が開示されている。特開２００２−３３３６５２号公報には予め記憶された容貌情報と撮影顔情報を比較し記録信号を発生する撮影装置が開示されている。この容貌情報は優先度とともに記録される。
【発明の開示】
【発明が解決しようとする課題】
【０００４】
上述した被写体を識別する技術をデジタルカメラに応用するという種々の発明は、従来から被写体取り込み用の撮像装置を含む大規模なコンピュータシステムで実施されていた技術をデジタルカメラ単独で実施するようにしたものである。しかしながら、実際にデジタルカメラ単独で被写体の識別技術を利用して撮影を行おうとすると従来にないデジタルカメラとしての動作シーケンスが必要となってくる。
【０００５】
本発明においてはデジタルカメラに新たな動作シーケンスを取り入れることにより、こ
れまで開示されていた被写体識別機能を持ったカメラシステムにおいては達成されていなかった、従来からのカメラの動作により近い、使い勝手の良い被写体識別機能を備えたデジタルカメラを提供することを目的とする。
【課題を解決するための手段】
【０００６】
上記問題点の解決のために、請求項１の発明は、被写体を撮影する際の撮影条件を保持するよう指示する指示手段と、撮影画像データから所定の特徴部位を抽出する抽出手段と、前記指示手段の指示に応じて、前記抽出手段による抽出結果を保持するように制御する制御手段とを備えたことを特徴としている。これにより撮影被写体を決定し、シャッタ釦の半押し等により撮影条件をロックしたときに同時に抽出結果もロックされるのでそれ以降は半押し時の抽出結果が保持される。請求項２の発明は、前記抽出結果とは前記抽出手段によって抽出された特徴部位の大きさ或いは位置情報の少なくとも一つであることを特徴としている。請求項３の発明は、更に、前記抽出手段によって抽出された前記所定の特
徴部位を所定の表示形態で表示する表示手段を備え、前記制御手段は、前記表示形態を前記表示手段に保持することを特徴としているので、アイコン表示等によって撮影被写体を容易に確認することができる。
【０００７】
請求項４の発明は、更に、被写体撮影時に合焦動作を行う合焦手段を備え、前記撮影条
件とは前記合焦手段によって決定された合焦位置条件であることを特徴としている。請求項５の発明は、更に、前記抽出手段が抽出した前記所定の特徴部位を含む所定エリアを前記合焦手段が合焦動作する際に使用する測距エリアとして設定する設定手段を備えることを特徴としている。請求項６の発明は、更に、被写体輝度を演算する測光手段を備え、前記撮影条件とは前記測光手段によって演算された被写体輝度であることを特徴としていて、請求項７の発明により、更に、前記抽出手段が抽出した前記所定の特徴部位を含む所定エリアを前記測光手段が測光動作する際に使用する測光エリアとして設定する設定手段とを備えることを特徴としている。請求項８の発明は、前記制御手段は更に、前記指示手段による指示がされるまでの所定期間は前記抽出手段に対して抽出動作を繰り返すよう制御することを特徴としている。すなわち、半押し前の所定期間は抽出動作を繰り返す。
【０００８】
請求項９の発明は、更に、前記抽出手段を動作させる動作モード或いは前記抽出手段を
動作させない非動作モードのいずれかのモードに設定する設定手段を備え、前記所定期間とは、前記設定手段が前記抽出手段を動作モードに設定してから前記指示手段の指示がされるまでの期間であることを特徴としている。すなわち所定期間とは抽出動作を行うように設定してから半押しするまでの期間のことである。請求項１０の発明は、更に、前記デジタルカメラの電源をオンする電源オン手段を備え、前記所定期間とは、前記電源オン手段によって前記デジタルカメラの電源がオンされてから前記指示手段の指示がされるまでの期間であることを特徴としている。すなわち所定期間とは電源がオンされてから半押しするまでの期間のことである。
【０００９】
請求項１１の発明は、被写体を撮影する際の撮影条件を保持するよう指示する指示手段
と、撮影画像データから所定の特徴部位を抽出する抽出手段と、前記指示手段の指示に応じて、前記抽出手段の抽出動作を停止するように制御する制御手段とを備えたことを特徴としている。すなわち半押し後は抽出動作そのものを停止することで余計な抽出動作をしないようにすることができる。
【００１０】
請求項１２の発明は、被写体撮影時に合焦動作を行う合焦手段と、前記画像データ内の所定エリアから所定の特徴部位を抽出する抽出手段と、前記合焦手段に合焦動作を開始するように指示する指示手段と、前記指示手段の指示に応じて開始した前記合焦手段の合焦動作により合焦したならばその合焦位置を保持する第１の合焦モードと、前記指示手段の指示に応じて繰り返し合焦動作を行う第２の合焦モードとのいずれかの合焦モードを選択する選択手段と、前記指示手段の指示に応じて、前記抽出手段が前記選択手段の選択結果に応じた抽出動作をするよう制御する制御手段とを備えたことを特徴としている。すなわち、シャッタ釦の半押しに基づいて選択されているＡＦモードに応じた最適の抽出動作をするように制御することができる。
【００１１】
請求項１３の発明は、前記制御手段は、前記選択手段が前記第１の合焦モードを選択し
た場合には、前記抽出手段による抽出結果を保持するように制御することを特徴としていて、請求項１４の発明によると、前記制御手段は、前記選択手段が前記第２の合焦モードを選択した場合には、前記抽出手段による抽出動作を繰り返すように制御することを特徴としている。請求項１５の発明は、更に、前記抽出手段が抽出した前記所定の特徴点を含む所定エリアを前記合焦手段が合焦動作する際に使用する測距エリアとして設定する設定手段を備えることを特徴としていて、請求項１６の発明は、更に、被写体輝度を測光する測光手段と、前記抽出手段が抽出した前記所定の特徴点を含む所定エリアを前記測光手段
が測光動作する際に使用する測光エリアとして設定する設定手段とを備えることを特徴としている。
【００１２】
請求項１７の発明は、被写体撮影時に測光動作を行う測光手段と、前記画像データ内の
所定エリアから所定の特徴部位を抽出する抽出手段と、前記測光手段に測光動作を開始するように指示する指示手段と、前記指示手段の指示に応じて前記測光手段の測光結果を保持する第１の測光モードと、前記指示手段の指示に応じて繰り返し測光動作を行う第２の測光モードとのいずれかの測光モードを選択する選択手段と、前記指示手段の指示に応じて、前記抽出手段が前記選択手段の選択結果に応じた抽出動作をするよう制御する制御手段とを備えたことを特徴としている。すなわち、シャッタ釦の半押しに基づいて選択されている測光モードに応じて最適な抽出動作をするよう制御することができる。
【発明を実施するための最良の形態】
【００１３】
以下、図面を参照して本発明の実施の形態を説明する。図１は、本発明のデジタルカメラについてその主要な機能を説明したブロック図である。撮影レンズ１０１はその焦点距離を連続的に変えるためのズームレンズ、ピントを調整するフォーカスレンズから構成されている。これらのレンズはドライバ１１３により駆動される。ここでドライバ１１３はズームレンズのズーム駆動機構及びその駆動回路と、フォーカスレンズのフォーカス駆動機構及びその駆動回路とを備えていて、それぞれＣＰＵ１１２により制御される。撮影レンズ１０１は撮像素子１０３の撮像面上に被写体像を結像する。撮像素子１０３は撮像面上に結像された被写体像の光強度に応じた電気信号を出力する光電変換撮像素子であり、ＣＣＤ型やＭＯＳ型の固体撮像素子が用いられる。撮像素子１０３は信号取り出しのタイミングをコントロールするドライバ１１５により駆動される。撮影レンズ１０１と撮像素子１０３との間には絞り１０２が設けられている。絞り１０２は、絞り機構とその駆動回路を備えたドライバ１１４により駆動される。固体撮像素子１０３からの撮像信号はアナログ信号処理回路１０４に入力され、アナログ信号処理回路１０４において相関二重サンプリング処理（ＣＤＳ）等の処理が行われる。アナログ信号処理回路１０４で処理された撮像信号は、Ａ／Ｄ変換器１３５によりアナログ信号からデジタル信号に変換される。
【００１４】
Ａ／Ｄ変換された信号はデジタル信号処理回路１０６において輪郭強調、ガンマ補正、ホワイトバランス補正などの種々の画像処理が施される。バッファメモリ１０５は撮像素子１０３で撮像された複数フレーム分のデータを記憶することが出来るフレームメモリであり、Ａ／Ｄ変換された信号は一旦このバッファメモリ１０５に記憶される。デジタル信号処理回路１０６ではバッファメモリ１０５に記憶されたデータを読み込んで上述した各処理を行い、処理後のデータは再びバッファメモリ１０５に記憶される。ＣＰＵ１１２はデジタル信号処理回路１０６およびドライバ１１３〜１１５等と接続され、カメラが動作する際のシーケンス制御を行う。ＣＰＵ１１２のＡＥ演算部１１２１では撮像素子からの画像信号に基づいて露出演算を行い、ＡＷＢ演算部１１２２ではホワイトバランス用パラメータを設定するための演算が行われる。特徴点抽出演算部１１２３では所定のアルゴリズムに則って画像データの中から被写体の形状、位置、サイズ等の特徴点を抽出し、抽出結果を記憶部１１２５に記憶する。それら記憶された特徴点の中からユーザは残しておきたい特徴点を選択して登録することができる。検出器１２１はフォーカスレンズ位置やズームレンズ位置を検出する。
【００１５】
本実施例におけるデジタルカメラのＡＦ方式は周知のコントラスト法を採用している。このコントラスト方式ＡＦについてここで簡単に説明する。この方式においては、撮像素子１０３上の像のボケの程度とコントラストの間には相関があり、焦点があったときに像のコントラストが最大になることを利用して焦点あわせを行う。コントラストの大小は撮像信号の高周波成分の大小により評価することが出来る。すなわち、ＡＦ演算部１１２４は不図示のＢＰＦ（バンドパスフィルタ）により撮像信号の高周波成分を抽出し、この絶
対値を積分した値を焦点評価値としてこの焦点評価値に基づいてＡＦ演算を行う。ＣＰＵ１１２はＡＦ演算部１１２４の演算結果を用いて撮影レンズ１０１のフォーカスレンズ位置を調整し、合焦動作を行わせる。
【００１６】
ＣＰＵ１１２に接続された操作部材１１６には、カメラの電源をオンオフする電源スイッチ１１６１、レリーズ釦に連動してオンオフする半押しスイッチ１１６２及び全押しスイッチ１１６３、デジタルカメラで撮影する際、モニタ１０９上に表示される各種メニュー内容を選択したり設定したりするための設定釦１１６４、再生画像等を更新するアップダウン（以降Ｕ／Ｄと表示する）釦１１６５等が設けられている。設定釦１１６４では抽出した特徴点に対して名称を付けるためにＵ／Ｄ釦１１６５を併用してアルファベットやひらがな、カタカナ、簡単な漢字等を選択して設定することもできる。Ｕ／Ｄ釦１１６５はこのほか複数抽出された人物から所望の人物を選択したり、撮影時には手動でズームレンズをテレあるいはワイド側に駆動したりするためにも使用される。
【００１７】
被写体輝度が低い場合にはストロボ１１７を発光させる。このストロボにはストロボ使用時に撮影した人物の瞳が赤く撮影されるのを防止あるいは軽減するために撮影前に予め補助光を発光するプリ発光機能が備わっている。このプリ発光は低輝度時発光して被写体輝度を測定するためにも使用される。記憶部１１２５には前述した特徴点情報以外にＡＦ演算部１１２４で演算された評価値のピーク値や対応するフォーカスレンズ位置等も記憶される。デジタル信号処理回路１０６で各種処理が施された画像データは、一旦バッファメモリ１０５に記憶された後に、記録・再生信号処理回路１１０を介してメモリカード等の外部記憶媒体１１１に記録される。画像データを外部記憶媒体１１１に記録する際には、一般的に所定の圧縮形式、例えば、ＪＰＥＧ方式でデータ圧縮が行われる。記録・再生信号処理回路１１０では、画像データを外部記憶媒体１１１に記録する際のデータ圧縮及び外部記憶媒体１１１から再生した圧縮された画像データの伸長処理を行う。
【００１８】
モニタ１０９は撮像された被写体画像を表示したり撮影や再生させる際の各種の設定メニューを表示したりするための液晶（ＬＣＤ）表示装置である。ここでは外部記憶媒体１１１に記録されている画像データを再生表示する際にも用いられる。モニタ１０９に画像を表示する場合には、バッファメモリ１０５の一部であるＶＲＡＭ１０７に記憶された画像データを読み出し、Ｄ／Ａ変換器１０８によりデジタル画像データをアナログ映像信号に変換する。そして、そのアナログ映像信号を用いてモニタ１０９に画像を表示する。
【００１９】
ここで、特徴点を抽出する際のバッファメモリ１０５とＶＲＡＭ１０７との関係について説明する。モニタ１０９で動画表示用の画像データを表示する場合は、静止画用の画像データから動画表示用の画像データに間引かれたデータが撮像素子１０３から一定の周期（例えば３０フレーム/秒）で連続して出力される。この画像データに所定の処理を施し
、モニタ１０９の縦横画素数に対応した画素数となるように更にデータを間引いてＶＲＡＭ１０７に連続して記録する。このＶＲＡＭ１０７のデータはＤ／Ａ変換器１０８を通してモニタ１０９に動画像として表示される。このＶＲＡＭ１０７の画像データは特徴点を抽出するためのデータとしても使用する。特徴点を抽出する場合には、まずＶＲＡＭ１０７の画像データをバッファメモリ１０５に所定のタイミングで再度記録する。ここでバッファメモリ１０５にはＶＲＡＭ１０７に記録されているデータのうち中心部の所定の範囲（たとえばＬＣＤモニタ１０９の表示画面の縦、横ともに８０％に相当する範囲）のみ記録する。
【００２０】
また、このようにＶＲＡＭ１０７から再度バッファメモリ１０５に画像データを記録す
るのは次の理由による。ＣＰＵ１１２の演算処理能力が十分高かったならば前述した３０フレーム/秒のレートで特徴点を抽出することができる。通常、デジタルカメラに採用さ
れているＣＰＵ１１２の演算能力はそこまで高くないことが多い。それ故、ＣＰＵ１１２
の演算能力に応じて特徴点抽出演算にあったレート（例えば１０フレーム/秒）でＶＲＡ
Ｍ１０７からバッファメモリ１０５に画像データを再度記録することで特徴点を抽出する事が可能となる。なお、その場合であってももちろんＶＲＡＭ１０５からは通常のレートでモニタ１０９表示用画像データが出力されているのでモニタ画面の表示更新のレートが遅くなることはない。なお、ＡＥ演算、ＡＦ演算にあたっては、上述したＶＲＡＭ１０７に記録されている特徴点抽出用に使用する、１０フレーム／秒のレートに間引かれた画像データを使用するのでなく、撮像素子１０３から３０フレーム／秒のレートで出力される動画表示用に間引いた画像データを使用する。
【００２１】
従来、女性やお年寄りが使用できるような比較的安価なコンシューマタイプのデジタル
カメラにおいてはこの特徴点抽出機能を備えたものはまだ実現されていない。一方、このような特徴点抽出機能を備えることで使用者に新たな使用形態に基づいた撮影方法を提供することが可能となる。その際、従来のカメラとの使用勝手の違いはできるだけ小さくする方が好ましい。前述した特徴点抽出演算部１１２３はデジタルカメラの動作に応じて、最適な動作をするようになっている。第１、第２の実施例ではデジタルカメラに備わっている様々な撮影機能の中から、ズームレンズを動作させた場合の抽出動作について説明する。第３の実施例では選択したＡＦ方式に応じた抽出動作について説明する。
【００２２】
まず始めにズームレンズを動作させた第１の実施例の場合について図２、図３を使用し
て説明する。通常、ズームレンズを動作させると表示画面内の被写体の大きさが急激に変化する。その結果、仮に特徴点の抽出結果を表示させたとしてもその表示位置と実際の被写体表示位置とがずれてしまって、使用者には違和感を生じさせることとなる。それ故、本実施例ではズームレンズが動作している間は抽出動作を行わないか或いは抽出結果を表示しないようにすることでこれを防止している。図２、図３はズームレンズ動作中は抽出動作を停止させると共にズーム動作終了と同時にズーム動作開始時に抽出していた被写体の大きさを予測して、被写体の特徴点抽出エリアを設定するシーケンスを説明するフローである。これにより抽出動作を再開したときの特徴点抽出に要する処理時間を短縮することが可能となり、その結果を使用したＡＦ動作やＡＥ動作を迅速に行うことができる。
【００２３】
図２ステップＳ１０１でデジタルカメラの電源がオンされたならばステップＳ１０２でＣＰＵ１１２は特徴点を抽出して抽出結果をモニタ１０９に表示するための抽出モードに設定されているかどうか判別する。この抽出モードの設定方法としては、一例として、設定釦１１６４を操作して表示させた撮影モードから抽出モードを選択する。抽出モードに設定されていた場合にはステップＳ１０５に進み、抽出モードに設定されていなかったならばステップＳ１０３に進む。ステップＳ１０３ではズーム指示がされたかどうか判別する。もしされていなかったならば図３ステップＳ１１６に進み、ズーム指示されていたならばステップＳ１０４に進む。ステップＳ１０４ではズーム指示が終了したかどうか判別しもし終了していなかったならばステップＳ１０３に戻って抽出モードに設定されていない場合の通常のズーム動作を繰り返す。ステップＳ１０４でズーム指示が終了したと判別したならば図３ステップＳ１１６に進む。
【００２４】
ステップＳ１０２で抽出モードに設定されていると判別した場合にはステップＳ１０５
に進み、ここでは特徴点抽出演算部１１２３によって特徴点抽出を行い、抽出された特徴点をアイコン表示でモニタ１０９に撮影画像と共に重畳表示する。図９にこの表示例を示す。図９において画面内にいる３名の人物の内、一名は遠方のため抽出できず左側の２名について抽出されたことを破線或いは実線のアイコン表示がそれぞれの顔に重畳表示されている。このうち実線のアイコン表示が現在、主要被写体として選択されていることを示している。この主要被写体はモニタ１０９上に表示される主要被写体変更用のメニュー表示を選択後、Ｕ／Ｄ釦１１６５によって変更することができる（不図示）。ステップＳ１０６では使用者によってズーム指示がされたかどうか判別する。このズーム指示は使用者
が操作部材１１６の内から、Ｕ／Ｄ釦１１６５を使ってテレ或いはワイド操作することで行われる。ここで、もしもＵ／Ｄ釦１１６５が上下、左右４つの接点を備えた十字キータイプのものであったならば左右の接点をズームレンズのテレ／ワイドの操作用に、上下の接点を前述した主要被写体の選択用にすることでズーム及び主要被写体選択の操作を容易にすることができる。
【００２５】
もしズーム指示されていなかったならば図３ステップＳ１１６に進み、ズーム指示され
たと判別されたならばステップＳ１０７に進む。ステップＳ１０７ではズーム指示される直前に抽出された主要被写体に対応した特徴点の大きさと位置及び検出器１２１で検出した移動直前のズームレンズ位置とを記憶部１１２５に記憶する。ステップＳ１０８では特徴点抽出演算部１１２３にたいして抽出動作を停止するよう指示すると共に図９で示したモニタ１０９上のアイコン表示を行わないようにする。ステップＳ１０９ではズーム操作が終了したかどうか判別し、もし終了していなかったならばステップＳ１０８に戻り、終了したならば図３ステップＳ１１０に進む。
【００２６】
ステップＳ１１０では今行われたズーム動作がズームアップであったかどうか判別する
。もしアップでなかったならばステップＳ１１１に進み、アップだったならばステップＳ１１２に進む。ステップＳ１１１ではズーム動作前と同一の抽出用エリアを設定する。被写体が移動せず、さらに撮影者がデジタルカメラを動かさない場合にはズームダウンした後の位置はズームダウン前の位置情報から予測することが可能である。しかしながら撮影者はズームダウンと同時に撮影方向も移動させることが多く、ズームダウン後の被写体位置がどこになるか不明であるからである。ステップＳ１１２ではズームアップ後の被写体の大きさを予測する。予測方法の一例を次に述べる。まず、検出器１２１によって検出され記憶部１１２５に記憶されていたズーム動作開始時点でのズームレンズ位置に基づく焦点距離ｆ１とズーム動作終了時点での検出器１２１によって検出されたズームレンズ位置に基づく焦点距離ｆ２とを判別する。これらの値と、記憶部１１２５に記憶されていたズーム開始直前の被写体の大きさ（例えば被写体の高さをＨ１とする）とからズーム動作終了時の被写体の予測大きさ（例えば予測被写体高さをＨ２とする）は、Ｈ２＝（ｆ２／ｆ１）×Ｈ１となる。
【００２７】
ステップＳ１１３ではこの演算結果に基づいて被写体を抽出するためのエリアの大きさ
と抽出位置を設定する。この場合の抽出エリアは、先に演算して求めた被写体の予測大きさに対して縦横それぞれ５０％程度広いエリアを画面中央部に設定する。ズームダウンの場合と同様に、被写体が移動せず、さらに撮影者がデジタルカメラを動かさない場合にはズームアップした後の位置はズーム前の位置情報から予測することが可能である。この時、撮影者はズームアップと同時に撮影方向も移動させることが多い。しかしながらズームアップの場合にはズームダウンの場合と異なり、主要被写体を画面中央部に持ってくる場合が多い。それ故、被写体がいると思われる画面中央部近傍のみを抽出エリアとすることで特徴点抽出に要する時間が短縮される。このときもし主要被写体の特徴点が抽出されなかったならば直ちに特徴点抽出を開始した時に初期初期設定されていた抽出エリアに設定すればよい。
【００２８】
ステップＳ１１４では設定されたそれぞれの抽出エリアに対して特徴点を抽出し、ステ
ップＳ１１５で抽出結果を被写体画像に重畳して表示する。ステップＳ１１６では半押しスイッチ１１６２が押された後、更に全押しＳＷ１１６３が押されることによって撮影開始指示がされたかどうか判別する。もし指示されていなかったならばステップＳ１１８に進み、指示されたならばステップＳ１１７で被写体を撮影してステップＳ１１８に進む。ステップＳ１１８では撮影が終了したかどうか判別する。撮影終了とは電源ＳＷ１１６１がオフされた場合、或いは再生モード等に設定された場合である。もし撮影が終了したならば本シーケンスを終了し、撮影終了していなかったならばステップＳ１０２に戻る。な
お、ステップＳ１０８において抽出動作自体は停止しないで、アイコン表示のみ表示しないようにしてもよい。その場合は、抽出演算をしている時間が加わるのでもしズーム時にもＡＥやＡＦ等の処理をしていたとしたらそれらの処理のサイクルが延びることとなるが、ズーム時の各種画像処理シーケンスをズーム動作しない場合と同じにすることができるのでズーム時のシーケンスが複雑になることがない。
【００２９】
ここまで述べた図２、図３においては特徴点を抽出しない或いは抽出した特徴点を表示
しない場合について説明したが、次に、第２実施例として、図４を使ってズーム動作中であっても抽出を停止することはせず、抽出エリアを狭くする事で特徴点の抽出をより迅速に行う方法について説明する。ステップＳ２０１でデジタルカメラの電源がオンされたならばステップＳ２０２で特徴点の抽出モードに設定されているかどうか判別する。もし特徴点抽出モードに設定されていなかったならばステップＳ２０３に進み、設定されていたならばステップＳ２０５に進む。ステップＳ２０３ではズーム指示がされたかどうか判別する。もしされていなかったならばステップＳ２１１に進み、ズーム指示されていたならばステップＳ２０４に進む。ステップＳ２０４ではズーム指示が終了したかどうか判別し、もし終了していなかったならばステップＳ２０３に戻って抽出モードに設定されていない場合の通常のズーム動作を繰り返す。ステップＳ２０４でズーム指示が終了したと判別したならばステップＳ２１１に進む。
【００３０】
ステップＳ２０２で抽出モードに設定されていたならばステップＳ２０５でズーム指示
がされたかどうか判別する。もしズーム指示されていないと判別されたならばステップＳ２０６に進んで、前述したように特徴点抽出用として初期設定されている撮影画面内の縦横それぞれ８０％のエリアを選択してステップＳ２０７でこのエリア内から被写体の特徴点を抽出し、ＬＣＤモニタ１０９上に被写体画像に特徴点或いは特徴点に対応したアイコンを重畳して表示する。ここではこのエリアを第１エリアとしている。ステップＳ２０５でズーム指示がされたと判別されたならばステップＳ２０８に進んでズーム指示がされる以前に抽出された主要被写体を中心とした所定範囲の抽出エリアを選択してステップＳ２０９でこのエリア内から被写体の特徴点を抽出し、ＬＣＤモニタ１０９上に被写体画像に特徴点或いは特徴点に対応したアイコンを重畳して表示する。ここではこのエリアを第２エリアとしている。図１０にＬＣＤモニタ１０９の表示画面内でのこれら第１エリア及び第２エリアの表示例を示す。図１０において一点鎖線で囲まれたエリアが第１エリアで、破線で囲まれたエリアが第２エリアを示している。この第２エリアの大きさとしては検出された特徴点の大きさに対して縦横それぞれ５０〜１００％程度長さが大きいエリアを設定する。これらのエリア表示は常時表示していなくともよい。ステップＳ２１０ではズーム指示が終了したかどうか判別する。もしズーム指示が終了していなかったならばステップＳ２０８に戻り、終了していたならばステップＳ２１１に進む。
【００３１】
ステップＳ２１１では、半押しＳＷ１１６２更に全押しＳＷ１１６３が押され撮影開始
指示がされたかどうか判別する。もし指示されていなかったならばステップＳ２１３に進み、されたならばステップＳ２１２に進む。ステップＳ２１２では被写体撮影を行ってステップＳ２１３に進む。ステップＳ２１３では撮影が終了したかどうか判別し、終了していなかったならばステップＳ２０２に戻り終了したならば本シーケンスを終了する。この様に抽出エリアを狭くすることで抽出演算に要する時間を短縮してズーム中でも被写体変化に追従して抽出結果を表示させることができる。
【００３２】
次に第３、第４実施例として、図５〜図８を使用して撮影以前の段階での特徴点を抽出
するシーケンスについて説明する。この実施例においても、抽出動作や抽出結果の表示形態が従来カメラにおける撮影以前の使用勝手と違和感がないように設定されている。第３実施例を説明するための図５、図６は主として一眼レフ方式でないコンシューマタイプのデジタルカメラにおける動作フローである。このタイプのデジタルカメラにおいては通常
図１で説明した撮像光学系１０１、１０２とは異なった専用の光学ファインダ（不図示）を備えていて、この光学ファインダで被写体を確認すると共に撮像光学系１０１、１０２を経由して撮像素子１０３上に結像した被写体画像をＬＣＤモニタ１０９でも確認することができる。
【００３３】
図５ステップＳ３０１でデジタルカメラの電源がオンされたならばステップＳ３０２で測光演算する。ここでの測光演算は、中央部重点測光やマルチ測光等、使用者が選択した測光方式に応じて予め設定されている測光エリアを使用する。この測光エリアからの出力を使用してＡＥ演算部１２２１によって被写体輝度を測定する。ステップＳ３０３では特徴点抽出モードに設定されているかどうか判別する。もし設定されていなかったならばステップＳ３０６に進み、設定されていたならばステップＳ３０４に進む。ステップＳ３０４では所定の抽出エリア内から特徴点を抽出し、抽出結果をＬＣＤモニタ１０９上に撮影画像と重畳してアイコン表示する。ここで所定の抽出エリアとは例えば前述した画面内縦横のそれぞれ８０％のエリアである。抽出結果のアイコン表示例を図９に示す。ステップＳ３０５では図９で太い実線の四角で示されている主要被写体を含む所定エリアを測光及び測距エリアに設定する。ここでいう所定エリアとは例えば主要被写体を含む縦横それぞれ５０％広いエリアである。もちろん測光、測距いずれか片方のエリアのみを設定するようにしてもよい。ステップＳ３０６では使用者が予め選択していたＡＦエリアを設定する。
【００３４】
ステップＳ３０７ではＡＦモードの設定状態を判別する。ＡＦモードにはシングルＡＦ
（以降はＳ−ＡＦと記述する）とコンティニアスＡＦ（以降はＣ−ＡＦと記述する）の２種類のＡＦモードがあるのでまずそれについて説明する。Ｓ−ＡＦモードにおいては半押しＳＷ１１６２が押されている間のみＡＦ演算部１１２４で焦点評価値を演算し、その演算結果に基づいてフォーカスレンズを駆動するというサイクルを繰り返し、合焦したならばフォーカスレンズをその合焦位置に固定する（これをＡＦロックという）。Ｃ−ＡＦモードにおいてはデジタルカメラの電源がオンされて以降或いはＡＦモードがＣ−ＡＦモードに設定されて以降は合焦、非合焦にかかわらずＡＦ動作を繰り返し、半押しＳＷ１１６２が押されたならば押す直前の焦点評価値と押してから演算した焦点評価値とを比較する。その結果、焦点評価値の変化が所定範囲内だったならば合焦と判断して半押しＳＷ１１６２が押される前のフォーカスレンズ位置に固定し、所定範囲以上だったならばフォーカスレンズを移動して合焦位置にフォーカスレンズが達してからそのフォーカスレンズ位置を固定する（ＡＦロック）。このＡＦモードの設定は抽出モードの設定と同様に設定釦１１６４及びＵ／Ｄ釦１１６５を使用してＬＣＤモニタ１０９上のメニュー表示から選択して設定する（不図示）。
【００３５】
ステップＳ３０７でＳ−ＡＦモードに設定されていると判別されたならばステップＳ３
０８に進み、半押しＳＷ１１６２が押されたかどうか判別する。もし押されていなかったならば図６ステップＳ３２１に進み、押されたならばステップＳ３０９に進む。ステップＳ３０９ではステップＳ３０５或いはステップＳ３０６で設定された測距エリアからの出力を使用して測距し、その結果に基づいてレンズ駆動を行う。本実施例では前述したように、焦点評価値を演算しそれに基づいてフォーカスレンズを駆動する。ステップＳ３１０では測距と同様に設定されている測光エリアからの出力を使用して被写体輝度を測定する。ステップＳ３１１では合焦したかどうか判別する。この判別方法としては例えば、焦点評価値が所定値以上で且つ前回演算した焦点評価値との差分が所定値以内であったならば合焦と判断する。ステップＳ３１１で合焦していないと判別されたならばステップＳ３０８に戻ってこの合焦動作を半押しＳＷ１１６２が押されている限り合焦するまで繰り返す。このとき測光動作も繰り返される。ステップＳ３１１で合焦したと判別されたならば図６ステップＳ３１６に進む。
【００３６】
ステップＳ３０７でＡＦモードがＣ−ＡＦモードに設定されていると判別されたならば
図６ステップＳ３１２に進んでここで測距及びフォーカスレンズの駆動を行い、ステップＳ３１３で測光演算を行う。ステップＳ３１４では半押しＳＷ１１６２が押されたかどうか判別し、押されていないと判別されたならばステップＳ３２１に進む。このステップＳ３２１では撮影が終了したかどうか判別し、終了していなかったならば、半押しＳＷ１１６２が押されない限り特徴点抽出（ステップＳ３０４）、測距及びレンズ駆動（ステップＳ３１２）、測光（ステップＳ３１３）が繰り返される。ステップＳ３１４で半押しＳＷ１１６２が押されたと判別されたならばステップＳ３１５に進んで合焦したかどうか判別する。もし合焦していないと判別されたならばステップＳ３１２に戻って合焦動作を繰り返す。合焦したと判別されたならばステップＳ３１６に進む。
【００３７】
ステップＳ３１６では合焦位置にフォーカスレンズを固定（ＡＦロック）し、ステップ
Ｓ３１７では合焦時の測光結果を固定（これをＡＥロックという）する。ステップＳ３１８では全押しＳＷ１１６３が押されたかどうか判別する。もし押されていなかったならばステップＳ３１９に進んで引き続き半押しＳＷ１１６２が押されているかどうか判別する。もし半押しＳＷ１１６２が押され続けていたならばステップＳ３１８に戻り、半押しＳＷ１１６２が押されていなかったならばステップＳ３２１に進む。ステップＳ３１８で全押しスイッチが押されたならばステップＳ３２０に進んで被写体を撮影し、ステップＳ３２１に進む。ステップＳ３２１では撮影が終了したかどうか判別する。撮影の終了とは電源ＳＷ１１６１がオフされたりあるいはデジタルカメラの動作モードが被写体を撮影する撮影モードからメモリカード１１１に記録されている画像データをモニタ１０９上に再生する再生モードに設定が変更された場合等である。もし終了していなかったならば図５ステップＳ３０２に戻って設定されているＡＦモードや抽出モードに応じて抽出、測光、測距を繰り返す。
【００３８】
次に第４実施例として、主として一眼レフ方式のデジタルカメラにおける特徴点抽出に
ついて説明する。このタイプのデジタルカメラでは、撮影レンズを透過した光束を撮像素子の前面にあるクイックリターン式の反射ミラーで向きを変えて光学ファインダに導いている。それゆえ、記録用の画像データを出力する撮像素子においては撮影前は被写体からの光束が遮られてしまう。撮影画面をモニタ画面で確認するための撮像素子は通常備えてはいないので、撮影前には撮影画面をＬＣＤモニタには表示することはできない。図１１はこの一眼レフ方式デジタルカメラの主として反射ミラー周辺の構成を説明するための概略ブロック図である。ここで操作部材、各種信号処理回路等は図１の構成と同様であるので図では省略している。
【００３９】
図１１において２０１は撮像光学系であって図１と同様に撮像レンズ、絞り等から構成
されている。２０２はクイックリターン式の反射ミラーでこのミラーによって撮影前の被写体からの光束は大部分９０゜上方に反射される。この反射光は全反射サブミラー２０３で再度方向が変えられファインダ光学系２０４へと進む。反射ミラー２０２の中心付近（全画面の縦横それぞれ８０％程度）はハーフミラーとなっていてここを透過した光束は第２の全反射サブミラー２０５で反射されＡＥ及びＡＦ演算するためのデータを出力する補助撮像素子２０６上で結像する。撮像素子２０７は記録するための被写体画像を結像するメインの撮像素子でこの撮像素子出力は信号処理回路２０８でアナログ及びデジタル処理されてメモリカードに記録される。ＬＣＤモニタ２０９は信号処理回路２０８内のバッファメモリ（不図示）に記録されている撮影画像データやメモリカード（不図示）に記録されている画像データを再生表示する。前述した補助撮像素子の出力も信号処理回路２０８に入力し、この信号を使用してＡＦ演算、ＡＥ演算および特徴点抽出を行う。ＡＦ演算、ＡＥ演算にはこの補助撮像素子２０６以外にそれぞれ別に専用のセンサを使用してもよい。クイックリターン式反射ミラー２０２およびサブミラー２０５は記録用画面を撮影する際にはそれぞれ図に破線で示したごとく移動し、被写体からの全光束がメインの撮像素子
２０７に入力する。
【００４０】
図７、図８を使用してこの一眼レフ方式デジタルカメラの動作フローを説明する。図７
ステップＳ４０１でデジタルカメラの電源がオンされたならばステップＳ４０２で測光演算する。ここでの測光演算は図５ステップＳ３０２と同様である。ステップＳ４０３では半押しＳＷ１１６２がオンされたかどうか判別する。もしオンされていなかったならば図８ステップＳ４１７に進み、撮影が終了していない限り被写体の測光を繰り返す。もし半押しＳＷ１１６２が押されたならばステップＳ４０４に進んで特徴点抽出モードに設定されているかどうか判別する。もし抽出モードに設定されていなかったならばステップＳ４０７に進んで測距エリアを予め設定されている所定の測距エリアに設定する。ステップＳ４０４で抽出モードに設定されていたならばステップＳ４０５に進んで特徴点の抽出を行う。ステップＳ４０６では抽出被写体を含む所定エリアを測光及び測距エリアに設定する。ここでもステップＳ３０５と同様、例えば主要被写体を含む縦横それぞれ５０％広いエリアをそれぞれ測光及び測距エリアに設定する。
【００４１】
ステップＳ４０８では設定された測距エリアを使用して被写体までの測距を行いその測
距結果に基づいてフォーカスレンズを駆動する。この様に一眼レフ方式の場合には半押しＳＷ１１６２が押されて初めて被写体の抽出及び測距を行う。但し、半押し後に抽出を開始しその結果に基づいて測距していると合焦までの時間がかかってしまうので、被写体抽出についてはステップＳ４０２で測光する以前に行うようにしても良い。この様にすると、その後のステップＳ４０２でこの抽出されたエリアを測光エリアに設定することができるとともに、半押し後に直ちに測距を開始することができる。
【００４２】
ステップＳ４０９では設定された測光エリアを使用して測光演算を行う。図８ステップ
Ｓ４１０では被写体を測距するＡＦモードの設定状態を判別する。一眼レフ方式デジタルカメラのＡＦモードにおいてもＳ−ＡＦ、及びＣ−ＡＦモードがある。Ｓ−ＡＦモードの場合にはステップＳ４１２に進んで合焦しているかどうか判別する。もし合焦していなかったならば図７ステップＳ４０４に戻り、合焦していたならばステップＳ４１３に進む。ステップＳ４１３ではこの合焦位置に撮影レンズを固定する（ＡＦロック）と共に測光結果も固定する（ＡＥロック）。ステップＳ４１４では全押しＳＷ１１６３が押されたかどうか判別する。もし押されていなかったならばステップＳ４１５に進んで半押しＳＷ１１６２が押されているかどうか判別し、引き続いて半押しＳＷ１１６２が押されていたならばステップＳ４１４に戻る。ステップＳ４１５で半押しＳＷ１１６２が押されていなかったならばステップＳ４１８に進む。ステップＳ４１４で全押しＳＷ１１６３が押されたならばステップＳ４１６に進んで被写体の撮影を行う。
【００４３】
ステップＳ４１０でＡＦモードがＣ−ＡＦモードの場合にはステップＳ４１１に進みこ
こで全押しＳＷ１１６３が押されたかどうか判別する。もし押されていなかったならば図７ステップＳ４０３に戻り、押されていたならばステップＳ４１７に進む。ステップＳ４１７では合焦しているかどうか判別する。もし合焦していなかったならば図７ステップＳ４０３に戻り、合焦していたら図４１６に進んで被写体撮影を行う。この様に一眼レフタイプのカメラの場合はＣ−ＡＦにおいては半押しＳＷ１１６２が押されている間は合焦、非合焦に関係なくＡＦ動作を連続して行う。また、通常の一眼レフタイプのカメラにおいては合焦よりもレリーズが優先されることが多く、その場合にはこのフローの中で説明したステップＳ４１７は省略される。すなわち合焦、非合焦に関係なく全押しＳＷ１１６３が押されると直ちに撮影動作を開始する。ステップＳ４１８では撮影が終了したかどうか判別し、終了していなかったならばステップＳ４０２に戻り終了していたならばこのフローを終了する。
【図面の簡単な説明】
【００４４】
【図１】本発明によるデジタルカメラの構成を示すブロック図である。
【図２】本発明によるデジタルカメラの動作シーケンスを説明するフローチャートである。
【図３】本発明によるデジタルカメラの動作シーケンスを説明するフローチャートである。
【図４】本発明によるデジタルカメラの他の動作シーケンスを説明するフローチャートである。
【図５】本発明によるデジタルカメラの他の動作シーケンスを説明するフローチャートである。
【図６】本発明によるデジタルカメラの他の動作シーケンスを説明するフローチャートである。
【図７】本発明によるデジタルカメラの他の動作シーケンスを説明するフローチャートである。
【図８】本発明によるデジタルカメラの他の動作シーケンスを説明するフローチャートである。
【図９】抽出した特徴点に対してそれぞれ区別してアイコン表示している表示例である。
【図１０】撮影画面内の抽出エリアを説明する図である。
【図１１】本発明によるデジタルカメラの他の概略構造を説明する図である。
【符号の説明】
【００４５】
１０１  撮影レンズ
１０２  絞り
１０３  撮像素子
１０４  アナログ信号処理部
１０５  バッファメモリ
１０６  デジタル信号処理部
１０７  ＶＲＡＭ
１０８  Ｄ／Ａコンバータ
１０９  ＬＣＤモニタ
１１０  記録・再生信号処理部
１１１  外部記憶媒体
１１２  ＣＰＵ
１１３  レンズ駆動部
１１４  絞り駆動部
１１５  撮像素子駆動部
１１６  操作部材
１１７  ストロボ
１２１  レンズ位置検出部
１３５  Ａ／Ｄコンバータ
１１２１  ＡＥ演算部
１１２２  ＡＷＢ演算部
１１２３  特徴点抽出演算部
１１２４  ＡＦ演算部
１１２５  記憶部
１１６１  電源スイッチ
１１６２  半押しスイッチ
１１６３  全押しスイッチ
１１６４  設定釦
１１６５  アップ／ダウン釦
２０１  撮像光学系
２０２  反射ミラー
２０３、２０５  全反射サブミラー
２０４  ファインダ光学系
２０６  補助撮像素子
２０７  メイン撮像素子
２０８  信号処理回路
２０９  ＬＣＤモニタ                                                          
【図１】
2005223658.tif 000003
【図２】
2005223658.tif 000004
【図３】
2005223658.tif 000005
【図４】
2005223658.tif 000006
【図５】
2005223658.tif 000007
【図６】
2005223658.tif 000008
【図７】
2005223658.tif 000009
【図８】
2005223658.tif 000010
【図９】
2005223658.tif 000011
【図１０】
2005223658.tif 000012
【図１１】
2005223658.tif 000013